(57)【要約】【課題】ジョイント部材を垂直材の端部に予め固定させるにあたり、ジョント部材を所望の向きに向けさせた状態で安定的に支持できるようにする。【解決手段】垂直材２の端部２０の受入部１０を有すると共に、この受入部１０の左右にそれぞれ垂直材２における切り欠き部２４に臨んだ水平方向ｙの段差面２４ａに向き合う耳部１１を有しており、この耳部１１にジョイント部材４の箱他端部４１の挿入穴４１ａに差し込まれる突部１１ａと、ジョイント部材４の外面に対する当接部１１ｂとが備えられている。突部１１ａと当接部１１ｂとの協働により、ナット５による固定までの間、切り欠き部２４においてジョイント部材４が、その開放部４２を、垂直材２の一面側、他面側及び前記切り欠き部２４に臨んだ垂直方向ｘの段差面２４ｂに向き合う側と反対の側のうちのいずれか一つの側に向けた状態で選択的に支持されるようになっている。【選択図】図７
2014080800.tif 000002
【特許請求の範囲】
【請求項１】
端部の左右がそれぞれ切り欠かれてこの端部を凸状にしてなる垂直材であって、切り欠き部に臨んだ水平方向の段差面から内蔵されたボルト体の接続端末を垂直方向に突出させてなる垂直材における前記切り欠き部に、
この切り欠き部に納まる大きさの箱状をなすと共に、箱一端部に前記ボルト体の接続端末の挿入穴を、箱他端部に水平材又は基礎に備えられるボルト体の接続端末の挿入穴を備え、かつ、垂直軸を巡る約９０度の範囲を開放部としたジョイント部材を、
前記箱一端部の挿入穴を通じてジョイント部材内に導入されたボルト体の接続端末に対し前記開放部を利用してナットを締め付けて固定する際にこのジョイント部材を支持する治具であって、
前記垂直材の端部の受入部を有すると共に、この受入部の左右にそれぞれ前記切り欠き部に臨んだ水平方向の段差面に向き合う耳部を有しており、この耳部に前記ジョイント部材の箱他端部の挿入穴に差し込まれる突部と、ジョイント部材の外面に対する当接部とが備えられており、
前記突部と当接部との協働により、前記ナットによる固定までの間、前記切り欠き部においてジョイント部材が、その開放部を、垂直材の一面側、他面側及び前記切り欠き部に臨んだ垂直方向の段差面に向き合う側と反対の側のうちのいずれか一つの側に向けた状態で選択的に支持されるようになっていることを特徴とする治具。
【発明の詳細な説明】
【技術分野】
【０００１】
この発明は、建物の構造材としての垂直材の端部に、この垂直材と水平材又はこの垂直材と基礎とを連結するジョイント部材を備えさせるにあたり、かかるジョイント部材の固定が終了するまでの間このジョント部材を支持するために用いられる治具に関する。
【背景技術】
【０００２】
柱の端部と梁とを、柱側に内蔵されたボルト体と、梁側に備えられたボルト体と、接合金具とによって接続させる接続構造として、特許文献１に示されるものがある。
【０００３】
かかる接続構造にあっては、接合金具は、柱の端部の左右に形成された切り欠き部に納まるようになっている。柱には、かかる切り欠き部から一部を下方に突き出させるようにボルト体が内蔵されている。（特許文献１の図３参照）かかる接合金具は、上端部にかかる柱側のボルト体の一部の挿入穴を、下端部に梁側のボルト体の一部の挿入穴を有すると共に、側部を垂直軸を巡る約９０度の範囲で開放させている。かかる接合金具の開放部を利用して、前記挿入穴を通じて接合金具内に受け入れられた上下のボルト体、すなわち、柱側のボルト体と梁側のボルト体にそれぞれナットを締め付けることにより、かかる接合金具を介して柱と梁とが接続される。
【０００４】
ここで、かかる接合金具は、前記接続に先立って、柱の切り欠き部内に固定される。一般的には、かかる接合金具は、前記開放部を、柱の左側に備えられる接合金具では左側に向け、柱の右側に備えられる接合金具では右側に向けるように前記仮固定されるが、柱の配置によってはかかる開放部が柱の表側あるいは裏側に向けられていないと、前記ナットの締め付けができなかったり、あるいは、スムースに行えなくなる場合もある。
【先行技術文献】
【特許文献】
【０００５】
【特許文献１】特許第４７０７５０７号公報
【発明の概要】
【発明が解決しようとする課題】
【０００６】
この発明が解決しようとする主たる問題点は、この種の接合金具、すなわちジョイント部材を柱などの垂直材の端部に予め固定させるにあたり、かかるジョイント部材の固定が終了するまでの間このジョント部材を前記開放部を所望の向きに向けさせた状態で安定的に支持できるようにする点にある。
【課題を解決するための手段】
【０００７】
前記課題を達成するために、この発明にあっては、治具を、端部の左右がそれぞれ切り欠かれてこの端部を凸状にしてなる垂直材であって、切り欠き部に臨んだ水平方向の段差面から内蔵されたボルト体の接続端末を垂直方向に突出させてなる垂直材における前記切り欠き部に、
この切り欠き部に納まる大きさの箱状をなすと共に、箱一端部に前記ボルト体の接続端末の挿入穴を、箱他端部に水平材又は基礎に備えられるボルト体の接続端末の挿入穴を備え、かつ、垂直軸を巡る約９０度の範囲を開放部としたジョイント部材を、
前記箱一端部の挿入穴を通じてジョイント部材内に導入されたボルト体の接続端末に対し前記開放部を利用してナットを締め付けて固定する際にこのジョイント部材を支持する治具であって、
前記垂直材の端部の受入部を有すると共に、この受入部の左右にそれぞれ前記切り欠き部に臨んだ水平方向の段差面に向き合う耳部を有しており、この耳部に前記ジョイント部材の箱他端部の挿入穴に差し込まれる突部と、ジョイント部材の外面に対する当接部とが備えられており、
前記突部と当接部との協働により、前記ナットによる固定までの間、前記切り欠き部においてジョイント部材が、その開放部を、垂直材の一面側、他面側及び前記切り欠き部に臨んだ垂直方向の段差面に向き合う側と反対の側のうちのいずれか一つの側に向けた状態で選択的に支持されるようになっているものとした。
【０００８】
ジョイント部材を、その開放部を前記垂直材の一面側、他面側及び前記切り欠き部に臨んだ垂直方向の段差面に向き合う側と反対の側のうちのいずれか一つの側に向けた状態で治具に組み合わせた後、この治具の受入部に垂直材の端部をはめ込むことで、左右の切り欠き部にそれぞれジョイント部材を納めることができると共に、ボルト体の連結端末をジョイント部材内に導入させることができる。このように垂直材の端部に治具を組み合わせた状態から、前記接続端末にナットをネジつけ、このネジつけが終了した後、垂直材の端部から治具を取り外すことで、開放部を所望の向きに向けさせた状態で切り欠き部に固定させた垂直材が調整される。
【発明の効果】
【０００９】
この発明によれば、ジョイント部材を垂直材の端部に予め固定させるにあたり、かかるジョイント部材の固定が終了するまでの間このジョント部材をその開放部を所望の向きに向けさせた状態で安定的に支持することができる。
【図面の簡単な説明】
【００１０】
【図１】図１はこの発明の一実施の形態にかかる治具の斜視図である。
【図２】図２は前記治具を図１と反対の側から見て示した斜視図である。
【図３】図３は前記治具の平面図である。
【図４】図４は前記治具の底面図である。
【図５】図５は前記治具の正面図である。
【図６】図６は前記治具の背面図である。
【図７】図７は前記治具の耳部にジョイント部材を支持させた状態を示した要部平面図であり、同図ａはジョイント部材の開放部を同図の上方に向けさせて支持した状態を、同図ｂはジョイント部材の開放部を同図の左方に向けさせて支持した状態を、同図ｃはジョイント部材の開放部を同図の下方に向けさせて支持した状態を、それぞれ示している。
【図８】図８はジョイント部材を支持させた前記治具の受入部に垂直材の端部をはめ込む直前の状態を示した構成図である。
【図９】図９はジョイント部材を支持させた前記治具の受入部に垂直材の端部をはめ込んだ状態を示した構成図である。
【図１０】図１０は図９の状態において垂直材にジョイント部材を固定させた後、垂直材から治具を取り外した状態を示した構成図である。
【図１１】図１１はジョイント部材を備えさせた垂直材をこのジョイント部材を介して水平材に連結させた状態を示した構成図である。
【図１２】図１２は垂直材の端部とジョイント部材とを分離させた状態で示した斜視図である。
【図１３】図１３はジョイント部材の斜視図である。
【発明を実施するための形態】
【００１１】
以下、図１〜図１３に基づいて、この発明の典型的な実施の形態について説明する。この実施の形態にかかる治具Ｊは、建物の構造材としての垂直材２の端部２０に、この垂直材２と水平材３又はこの垂直材２と基礎（図示は省略する。）とを連結するジョイント部材４を備えさせるにあたり、かかるジョイント部材４の固定が終了するまでの間このジョイント部材４を支持するために用いられるものである。典型的には、かかる治具Ｊは、工場などにおけるジョイント部材４の垂直材２への事前取り付けに利用される。
【００１２】
前記垂直材２は、端部２０の左右がそれぞれ切り欠かれてこの端部２０を凸状にしてなる。（図１２）この実施の形態にあっては、かかる垂直材２は、幅広の一面２１及び他面２２と、この一面２１と他面２２との間に亘る左右の幅狭の面２３とを有し、水平方向の断面を長方形状としている。そして、かかる垂直材２は、その端部２０の左右にそれぞれ切り欠き部２４を形成されて、この左右の切り欠き部２４の間を非切り欠き部２５としている。かかる切り欠き部２４は、垂直材２の前記幅狭の面２３と端面２６とが接し合う隅部を、前記一面と他面との間に亘る水平方向ｙ（図１１参照）の切断と垂直方向ｘ（図１１参照）の切断とによって取り除くことにより形成されている。
【００１３】
また、前記垂直材２は、前記非切り欠き部２５を挟んだ左右にそれぞれ、接続端末２７ａを切り欠き部２４内に位置させるようにして垂直材２にねじ込まれたボルト体２７を備えている。すなわち、垂直材２には、前記切り欠き部２４に臨んだ水平方向ｙの段差面２４ａより垂直方向ｘに向けてボルト体２７がねじ込まれており、このようにねじ込まれたボルト体２７の端部を前記接続端末２７ａとして切り欠き部２４内に位置させている。すなわち、垂直材２は、切り欠き部２４に臨んだ水平方向の段差面２４ａから内蔵されたボルト体２７の接続端末２７ａを垂直方向ｘに突出させている。
【００１４】
また、前記垂直材２には、水平材３又は基礎との連結に先だって、前記ジョイント部材４が備え付けられる。かかるジョイント部材４は、前記切り欠き部２４に納まる大きさの箱状をなすと共に、箱一端部４０に前記ボルト体２７の接続端末２７ａの挿入穴４０ａを、箱他端部４１に水平材３又は基礎に備えられるボルト体３０の接続端末の挿入穴４１ａを備え、かつ、垂直軸ｘ’（図１３参照）を巡る約９０度の範囲を開放部４２としている。図示の例では、かかるジョイント部材４は、左右の側板部４３、４３と、この側板部４３に直角に交わる板状をなす箱一端部４０及び箱他端部４１とによって、垂直方向ｘに長い長方形状をなす前記開放部４２を備えている。ジョイント部材４におけるかかる開放部４２に対向する側はジョイント部材４の内部を湾曲内側とするように湾曲した湾曲側部４４となっている。
【００１５】
この実施の形態にかかる治具Ｊは、前記箱一端部４０の挿入穴４０ａを通じてジョイント部材４内に導入されたボルト体２７の接続端末２７ａに対し前記開放部４２を利用してナット５を締め付けて固定する際にこのジョイント部材４を支持するようになっている。すなわち、前記ジョイント部材４は、箱一端部４０の挿入穴４０ａを通じてその内部に前記接続端末２７ａを受け入れるようになっており、このように受け入れられた接続端末２７ａに前記開放部４２を利用してナット５をネジつけることにより、垂直材２の前記切り欠き部２４に臨んだ水平方向の段差面２４ａとナット５との間でジョイント部材４の箱一端部４０を挟みつけてかかる垂直材２に対するジョイント部材４の固定がなされるようになっている。
【００１６】
この実施の形態にかかる治具Ｊは、前記垂直材２の端部２０の受入部１０を有すると共に、この受入部１０の左右にそれぞれ前記切り欠き部２４に臨んだ水平方向ｙの段差面２４ａに向き合う耳部１１を有している。
【００１７】
図示の例では、治具Ｊは、左右方向に長い略長方形の板状をなすベース部１２を有している。このベース部１２の一面側に前記受入部１０が形成され、このベース部１２の他面側には取っ手部１３が形成され、このベース部１２の左右にそれぞれ前記耳部１１が形成されている。
【００１８】
耳部１１は、ベース部１２よりも幅狭の板状を呈している。ベース部１２の長さ方向に沿った一辺部１２ａと耳部１１との間に形成される第一段差部１２ｂには、ベース部１２の一面に対し直交する向きに突き出す第一幅側規制部１２ｃが形成されている。また、ベース部１２の長さ方向に沿った他辺部１２ｄと耳部１１との間に形成される第二段差部１２ｅには、ベース部１２の一面に対し直交する向きに突き出す第二幅側規制部１２ｆが形成されている。左右の第一幅側規制部１２ｃ、１２ｃ間の距離、及び、左右の第二幅側規制部１２ｆ、１２ｆ間の距離はそれぞれ、垂直材２の非切り欠き部２５の左右方向、すなわち水平方向ｙの寸法と実質的に一致している。
【００１９】
また、ベース部１２の長さ方向に沿った一辺部１２ａには、左右の第一幅側規制部１２ｃ、１２ｃ間に亘って第一立ち上がり部１２ｇが形成されている。ベース部１２の長さ方向に沿った他辺部１２ｄの左右にはそれぞれ、ベース部１２の隅から一定の距離に亘って第二立ち上がり部１２ｈが形成されている。かかる第一立ち上がり部１２ｇと第二立ち上がり部１２ｈとの間の距離は垂直材２の非切り欠き部２５の厚さ寸法（垂直材２の幅広の一面２１と幅広の他面２２との間の距離）と実質的に一致している。
【００２０】
これにより、この実施の形態にあっては、治具Ｊは、この治具Ｊにおける左右の第一幅側規制部１２ｃ、１２ｃ、左右の第二幅側規制部１２ｆ、１２ｆ、第一立ち上がり部１２ｇ及び第二立ち上がり部１２ｈに囲繞された空間に垂直材２の非切り欠き部２５を納め入れることにより、かかる垂直材２の端部２０に取り外し可能に装着可能となっている。典型的には、かかる治具Ｊは、垂直材２を横倒しにした状態においてこの垂直材２の端部２０に前記のように装着される。すなわち、この実施の形態にあっては、かかるベース部１２に形成された左右の第一幅側規制部１２ｃ、１２ｃ、左右の第二幅側規制部１２ｆ、１２ｆ、第一立ち上がり部１２ｇ及び第二立ち上がり部１２ｈが前記受入部１０として機能するようになっている。
【００２１】
一方、前記耳部１１には、前記ジョイント部材４の箱他端部４１の挿入穴４１ａに差し込まれる突部１１ａと、ジョイント部材４の外面に対する当接部１１ｂとが備えられている。そして、前記突部１１ａと当接部１１ｂとの協働により、前記ナット５による固定までの間、前記切り欠き部２４においてジョイント部材４が、その開放部４２を、垂直材２の一面２１側、他面２２側及び前記切り欠き部２４に臨んだ垂直方向ｘの段差面２４ｂに向き合う側と反対の側のうちのいずれか一つの側に向けた状態で選択的に支持されるようになっている。
【００２２】
図示の例では、耳部１１は四角形状をなし、その一辺１１ｃにおいてベース部１２材に一体化されている。耳部１１の中央に短寸円柱状をなす突部１１ａが形成されている。また、耳部１１の四隅にそれぞれ、前記突部１１ａを箱他端部４１の挿入穴４１ａに差し込ませてこの箱他端部４１の外面を耳部１１に接しさせるように治具Ｊに組み合わされたジョイント部材４に対し、前記開放部４２の開放縁部４２ａにおいて接する当接部１１ｂが備えられている。図示の例では、耳部１１におけるベース部１２と一体化された前記一辺側の二カ所の当接部１１ｂ、１１ｂは、前記第一幅側規制部１２ｃと前記第二幅側規制部１２ｆの一部により構成されている。一方、その余の二カ所の当接部１１ｂ、１１ｂは、耳部１１におけるベース部１２からの突きだし端１１ｄ側に形成されている。前記突部１１ａを周回する方向において隣り合う二カ所の当接部１１ｂ、１１ｂはそれぞれ、前記開放部４２の開放縁部４２ａを含む仮想の平面Ｍに直交して前記挿入穴４１ａの中心に至る仮想の線分Ｌ１を半径とする仮想の円Ｒの接線Ｌ２上にそれぞれ位置するようになっている。（図７（ａ））これにより、前記ナット５による固定までの間、ジョイント部材４を、第一に、その開放部４２を、垂直材２の一面２１側に向けさせた状態で、治具Ｊにより支持することができ、（図７（ｃ））第二に、その開放部４２を、垂直材２の他面２２側に向けさせた状態で、治具Ｊにより支持することができ、（図７（ａ））第三に、その開放部４２を、前記切り欠き部２４に臨んだ垂直方向ｘの段差面２４ｂに向き合う側と反対の側に向けた状態で、治具Ｊにより支持することができるようになっている。（図７（ｂ））
【００２３】
図９に示される例では、治具Ｊの左側の耳部１１に開放部４２を正面に向けるようにしてジョイント部材４を組み合わせると共に、治具Ｊの右側の耳部１１に開放部４２を右に向けるようにしてジョイント部材４を組み合わせている。このようにジョイント部材４を組み合わせた治具Ｊの受入部１０に垂直材２の非切り欠き部２５をはめ込むことで、左右の切り欠き部２４、２４にそれぞれジョイント部材４を納めることができると共に、ボルト体２７の接続端末２７ａをジョイント部材４内に導入させることができる。このように垂直材２の端部２０に治具Ｊを組み合わせた状態から、前記接続端末２７にナット５をネジつけ、（図９）このネジつけが終了した後、垂直材２の端部２０から治具Ｊを取り外すことで、開放部４２を所望の向きに向けさせた状態で切り欠き部２４に固定させた垂直材２が調整される。（図１０）
【００２４】
このようにジョイント部材４が備えられた垂直材２は、水平材３又は基礎に備えられたボルト体２７の接続端末２７ａを左右のジョイント部材４、４の箱他端部４１の挿通穴４１ａを通じて左右のジョイント部材４、４内にそれぞれ受け入れさせた状態から、開放部４２を利用してこの接続端末にナット５をネジつけることで、図１１の例では水平材３に連結されるようになっている。
【００２５】
なお、図示の例では、取っ手部１３は、ベース部１２の他面側において、その左右にそれぞれ備えられている。図示の例では、かかる取っ手部１３は、ベース部１２材の幅方向に沿った棒状部１３ｂと、この棒状部１３ｂの一端からこの棒状部１３ｂに直交する向きに突き出す腕部１３ｃと、この棒状部１３ｂの他端からこの棒状部１３ｂに直交する向きに突き出す腕部１３ｃとからなる取っ手部構成体１３ａを、棒状部１３ｂとベース部１２の他面との間に間隔を空けるようにして前記二カ所の腕部１３ｃをベース部１２に固着させることで、ベース部１２に備えられている。前記ジョイント部材４および治具Ｊは、典型的には、金属から構成される。図中符号１２ｉで示されるのはベース部１２に設けられた肉抜き穴である。
【符号の説明】
【００２６】
１０  受入部
１１  耳部
１１ａ  突部
１１ｂ  当接部
２  垂直材
２４  切り欠き部
２４ａ  段差面
２４ｂ  段差面
４  ジョイント部材
４１  箱他端部
４１ａ  挿入穴
４２  開放部
５  ナット
ｘ  垂直方向
ｙ  水平方向
【図１】
2014080800.tif 000003
【図２】
2014080800.tif 000004
【図３】
2014080800.tif 000005
【図４】
2014080800.tif 000006
【図５】
2014080800.tif 000007
【図６】
2014080800.tif 000008
【図７】
2014080800.tif 000009
【図８】
2014080800.tif 000010
【図９】
2014080800.tif 000011
【図１０】
2014080800.tif 000012
【図１１】
2014080800.tif 000013
【図１２】
2014080800.tif 000014
【図１３】
2014080800.tif 000015